(57)【特許請求の範囲】
【請求項１】
室内の天井に取り付けられた火災感知器と室内雰囲気との接触を防いで該火災感知器の誤作動を防止する養生キャップを該火災感知器に設置する養生キャップ設置具において、
前記養生キャップ設置具が、上下方向へ延びるロッドと、前記火災感知器を嵌め込む上方開口を有して前記ロッドの先端部に配置された支持部材とから形成され、前記養生キャップ設置具では、前記支持部材の上方開口と頂部とに前記養生キャップを被せた状態で、前記火災感知器を前記支持部材の上方開口から該支持部材の内部に嵌め込むことで、前記養生キャップが前記上方開口から下方に向かって前記支持部材の内部に進入し、前記養生キャップが前記支持部材の頂部から前記火災感知器に移動して該養生キャップが該火災感知器に設置され、
前記養生キャップ設置具が、前記支持部材の上方開口と該支持部材の外周面とに配置され、所定の伸縮弾性手段による付勢力によって前記支持部材の頂部から下方に向かって付勢されて前記上方開口の径方向外方へ緊張された状態で該上方開口に被さる支持シートを含み、前記養生キャップ設置具では、前記支持部材の上方開口と頂部とに前記養生キャップを被せた状態で、前記火災感知器を前記支持部材の上方開口から該支持部材の内部に嵌め込むことで、前記支持シートが前記伸縮弾性手段の付勢力に抗して前記上方開口から下方に向かって前記支持部材の内部に進入しつつ、前記養生キャップが前記上方開口から下方に向かって前記支持部材の内部に進入し、前記養生キャップが前記支持部材の頂部から前記火災感知器に移動して該養生キャップが該火災感知器に設置されることを特徴とする養生キャップ設置具。
【請求項２】
前記養生キャップ設置具が、前記ロッドの先端部に取り付けられた固定部材を含み、前記支持部材の頂部が、幅方向へ延びる旋回軸を介して前記固定部材に連結され、前記支持部材が、前記旋回軸を中心に旋回可能である請求項１に記載の養生キャップ設置具。
【請求項３】
前記養生キャップ設置具が、前記ロッドの先端部に取り付けられた固定部材と、幅方向へ延びる第１旋回軸を介して前記固定部材に旋回可能に連結された旋回部材とを含み、前記支持部材の頂部が、前記第１旋回軸と交差する方向へ延びる第２旋回軸を介して前記旋回部材に連結され、前記支持部材が、前記第１旋回軸を中心に旋回可能であるとともに、前記第２旋回軸を中心に旋回可能である請求項１に記載の養生キャップ設置具。
【請求項４】
前記支持部材が、円形の前記上方開口と底部に開口する円形の下方開口とを有する支持筒であり、前記養生キャップ設置具では、前記火災報知器を前記支持筒の上方開口に嵌め込むときに、前記支持筒の上方開口に嵌め込まれる前記火災報知器を前記下方開口から視認可能である請求項１ないし請求項３いずれかに記載の養生キャップ設置具。
【請求項５】
前記支持筒が、その底部に設置された錘を備え、前記養生キャップ設置具では、前記ロッドを立てたときに、前記支持筒の上方開口が天井に対向するとともに下方開口が前記ロッドに対向するように該支持筒が旋回する請求項４に記載の養生キャップ設置具。
【請求項６】
前記伸縮弾性手段が、前記支持筒の外周面の周り方向へ所定寸法離間して該支持筒の軸方向へ伸張下に配置され、前記支持シートに連結された上部と該支持筒に連結された下部と前記上下部の間に位置して該支持筒の軸方向へ伸張された中間部とを有する伸縮弾性部材である請求項４または請求項５に記載の養生キャップ設置具。
【請求項７】
前記支持シートが、弾性伸縮性を有することで前記伸縮弾性手段を兼ね備え、前記支持筒の軸方向へ伸張下に配置されているとともに、前記支持筒の上方開口の径方向外方へ緊張された状態で該上方開口に被さり、前記支持シートの前記支持筒の外周面に位置する部分が、該支持筒の外周面に連結されている請求項４または請求項５に記載の養生キャップ設置具。
【請求項８】
前記養生キャップが、前記火災感知器を包被する養生シートと、前記養生シートの周縁部に伸張下に取り付けられて該養生シートを前記火災感知器に設置したときに該火災感知器の外周面を締め付ける伸縮弾性部材と、前記養生シートの周縁部に取り付けられて該養生シートを前記火災感知器に設置したときに該養生シートから床に向かって垂下する紐とから形成され、前記養生キャップ設置具では、前記伸縮弾性部材を伸長させた前記養生シートを前記支持筒の上方開口と頂部とに被せた状態で、前記火災感知器を前記支持筒の上方開口から該支持筒の内部に嵌め込むことで、前記支持シートが前記伸縮弾性手段の付勢力に抗して前記上方開口から下方に向かって前記支持筒の内部に進入しつつ、前記養生シートが前記上方開口から下方に向かって前記支持筒の内部に進入し、前記養生シートが前記支持筒の頂部から前記火災感知器に移動して前記養生キャップが該火災感知器に設置されるとともに該養生シートの伸縮弾性部材が該火災感知器の外周面を締め付ける請求項４ないし請求項７いずれかに記載の養生キャップ設置具。
【発明の詳細な説明】
【技術分野】
【０００１】
本発明は、火災感知器の誤作動を防止する養生キャップを火災感知器に設置する養生キャップ設置具に関する。
【背景技術】
【０００２】
両端の略中央に開口がそれぞれ設けられた円柱形または多角柱形の本体と、水平方向に延びた水平部、水平部の略中央において垂直方向上方に延びた垂直部、水平部の略中央において水平部に対して直交する方向に延びた第１軸部、第１軸部に設けられた雄ねじを有する第１部材と、平面視で弧状に形作られた弧状部、弧状部の略中央において弧状部に対して直交する方向に延びた第２軸部、第２軸部に設けられ、第１軸部の雄ねじと反対方向の雄ねじを有する第２部材とを備え、本体の一端の開口に、第１軸部の雄ねじと噛み合う雌ねじが設けられ、本体の他端の開口に、第２軸部の雄ねじと噛み合う雌ねじが設けられ、一端の開口に、第１軸部がねじ込まれ、他端の開口に、第２軸部がねじ込まれ、本体を一方の方向に回転させると、第１部材と第２部材との間の距離が縮まり、本体を他方の方向に回転させると、第１部材と第２部材との間の距離が開くように構成された養生シートの取付け具が開示されている（特許文献１参照）。この養生シートの取付け具を利用することで、養生シートを外壁と足場との間の所定箇所に迅速かつ容易に取り付けることができるとともに、養生シートを外壁と足場との間の所定箇所から容易に取り外すことができる。
【先行技術文献】
【特許文献】
【０００３】
【特許文献１】特開２００６−３１６４７５号公報
【発明の概要】
【発明が解決しようとする課題】
【０００４】
前記特許文献１に開示の養生シートの取付け具は、養生シートを外壁と足場との間の所定箇所に取り付けるために使用されるが、養生シートを天井面に取り付けることはできない。天井には室内の火災を検知する火災感知器が取り付けられているが、火災感知器と室内雰囲気とを遮断することなく室の修繕工事を行うと、室内に漂う塗料や薬剤、塵埃等によって感知器が誤作動し、火災の連絡が感知器から受信機に送信されてしまう場合がある。
【０００５】
室の修繕工事を行う場合、天井に設置された火災感知器の誤作動を防止するため、修繕工事に着手する前に感知器に養生シートを設置して感知器を養生シートで覆う養生シート設置作業が必要となる。養生シート設置作業では、脚立に乗った作業者がロール状に巻き取られた養生シートを手で持ち、その養生シートを次第に繰り出し、養生シートの粘着面を火災感知器やその周辺に押し付けて養生シートを感知器やその周辺に貼り付ける。天井に取り付けられた火災感知器やその周辺に作業者が手作業で養生シートを貼り付けること自体、相当な労力が必要であるのみならず、脚立を各火災感知器の設置箇所まで移動させつつ脚立への乗降を繰り返さなければならず、養生シート設置作業に手間と時間とを要し、養生シート設置作業を短時間に効率よく行うことができない。
【０００６】
本発明の目的は、火災感知器と室内雰囲気とを遮断して室の修繕工事の際に火災感知器の誤作動を防止する養生キャップを火災感知器に容易に設置することができる養生キャップ設置具を提供することにある。本発明の他の目的は、手間と時間とを要することなく、人の手が届かない天井に取り付けられた火災感知器に対する養生キャップの設置作業を短時間に効率よく行うことができ、室の修繕工事にすみやかに取りかかることができる養生キャップ設置具を提供することにある。
【課題を解決するための手段】
【０００７】
前記課題を解決するための本発明の前提は、室内の天井に取り付けられた火災感知器と室内雰囲気との接触を防いで火災感知器の誤作動を防止する養生キャップを火災感知器に設置する養生キャップ設置具である。
【０００８】
前記前提における本発明の特徴は、養生キャップ設置具が、上下方向へ延びるロッドと、火災感知器を嵌め込む上方開口を有してロッドの先端部に配置された支持部材とから形成され、養生キャップ設置具では、支持部材の上方開口と頂部とに養生キャップを被せた状態で、火災感知器を支持部材の上方開口から支持部材の内部に嵌め込むことで、養生キャップが上方開口から下方に向かって支持部材の内部に進入し、養生キャップが支持部材の頂部から火災感知器に移動して養生キャップが火災感知器に設置されることにある。
【０００９】
本発明の他の一例としては、養生キャップ設置具が、支持部材の上方開口と支持部材の外周面とに配置され、所定の伸縮弾性手段による付勢力によって支持部材の頂部から下方に向かって付勢されて上方開口の径方向外方へ緊張された状態で上方開口に被さる支持シートを含み、養生キャップ設置具では、支持部材の上方開口と頂部とに養生キャップを被せた状態で、火災感知器を支持部材の上方開口から支持部材の内部に嵌め込むことで、支持シートが伸縮弾性手段の付勢力に抗して上方開口から下方に向かって支持部材の内部に進入しつつ、養生キャップが上方開口から下方に向かって支持部材の内部に進入し、養生キャップが支持部材の頂部から火災感知器に移動して養生キャップが火災感知器に設置される。
【００１０】
本発明の他の一例としては、養生キャップ設置具がロッドの先端部に取り付けられた固定部材を含み、支持部材の頂部が幅方向へ延びる旋回軸を介して固定部材に連結され、支持部材が旋回軸を中心に旋回可能である。
【００１１】
本発明の他の一例としては、養生キャップ設置具が、ロッドの先端部に取り付けられた固定部材と、幅方向へ延びる第１旋回軸を介して固定部材に旋回可能に連結された旋回部材とを含み、支持部材の頂部が第１旋回軸と交差する方向へ延びる第２旋回軸を介して旋回部材に連結され、支持部材が第１旋回軸を中心に旋回可能であるとともに第２旋回軸を中心に旋回可能である。
【００１２】
本発明の他の一例としては、支持部材が円形の上方開口と底部に開口する円形の下方開口とを有する支持筒であり、養生キャップ設置具では、火災報知器を支持筒の上方開口に嵌め込むときに、支持筒の上方開口に嵌め込まれる火災報知器を下方開口から視認可能である。
【００１３】
本発明の他の一例としては、支持筒がその底部に設置された錘を備え、養生キャップ設置具では、ロッドを立てたときに、支持筒の上方開口が天井に対向するとともに下方開口がロッドに対向するように支持筒が旋回する。
【００１４】
本発明の他の一例としては、伸縮弾性手段が、支持筒の外周面の周り方向へ所定寸法離間して支持筒の軸方向へ伸張下に配置され、支持シートに連結された上部と支持筒に連結された下部と上下部の間に位置して支持筒の軸方向へ伸張された中間部とを有する伸縮弾性部材である。
【００１５】
本発明の他の一例としては、支持シートが弾性伸縮性を有することで伸縮弾性手段を兼ね備え、支持筒の軸方向へ伸張下に配置されているとともに、支持筒の上方開口の径方向外方へ緊張された状態で上方開口に被さり、支持シートの支持筒の外周面に位置する部分が支持筒の外周面に連結されている。
【００１６】
本発明の他の一例としては、養生キャップが、火災感知器を包被する養生シートと、養生シートの周縁部に伸張下に取り付けられて養生シートを火災感知器に設置したときに火災感知器の外周面を締め付ける伸縮弾性部材と、養生シートの周縁部に取り付けられて養生シートを火災感知器に設置したときに養生シートから床に向かって垂下する紐とから形成され、養生キャップ設置具では、伸縮弾性部材を伸長させた養生シートを支持筒の上方開口と頂部とに被せた状態で、火災感知器を支持筒の上方開口から支持筒の内部に嵌め込むことで、支持シートが伸縮弾性手段の付勢力に抗して上方開口から下方に向かって支持筒の内部に進入しつつ、養生シートが上方開口から下方に向かって支持筒の内部に進入し、養生シートが支持筒の頂部から火災感知器に移動して養生キャップが火災感知器に設置されるとともに養生シートの伸縮弾性部材が火災感知器の外周面を締め付ける。
【発明の効果】
【００１７】
本発明にかかる養生キャップ設置具によれば、支持部材の上方開口と頂部とに養生キャップを被せた状態で、火災感知器を支持部材の上方開口から支持部材の内部に嵌め込むことで、養生キャップが上方開口から下方に向かって支持部材の内部に進入し、養生キャップが支持部材の頂部から火災感知器に移動して養生キャップが火災感知器に設置されるから、脚立を使用する必要することなく室の床に位置した状態で、火災感知器と室内雰囲気とを遮断して室の修繕工事の際に火災感知器の誤作動を防止する養生キャップを火災感知器に容易に設置することができる。養生キャップ設置具は、人の手が届かない天井に取り付けられた火災感知器に養生キャップを容易に設置することができ、手間と時間とを要することなく、火災感知器に対する養生キャップの設置作業を短時間に効率よく行うことができるとともに、室の修繕工事にすみやかに取りかかることができる。
【００１８】
支持部材の上方開口と支持部材の外周面とに配置され、所定の伸縮弾性手段による付勢力によって支持部材の頂部から下方に向かって付勢されて上方開口の径方向外方へ緊張された状態で上方開口に被さる支持シートを含む養生キャップ設置具は、支持部材の上方開口と頂部とに養生キャップを被せた状態で、ロッドを把持しつつ支持部材の上方開口から支持部材の内部に火災感知器を嵌め込むことで、支持シートが伸縮弾性手段の付勢力に抗して上方開口から下方に向かって支持部材の内部に進入しつつ、養生キャップが上方開口から下方に向かって支持部材の内部に進入し、養生キャップが支持部材の頂部から火災感知器に移動して養生キャップが火災感知器に設置されるから、脚立を使用する必要することなく室の床に位置した状態で、火災感知器と室内雰囲気とを遮断して室の修繕工事の際に火災感知器の誤作動を防止する養生キャップを火災感知器に容易に設置することができる。養生キャップ設置具は、人の手が届かない天井に取り付けられた火災感知器に養生キャップを容易に設置することができ、手間と時間とを要することなく、火災感知器に対する養生キャップの設置作業を短時間に効率よく行うことができるとともに、室の修繕工事にすみやかに取りかかることができる。養生キャップ設置具は、支持シートを介在させることなく養生キャップを単独で支持部材の内部に進入させた場合、養生キャップが部分的（不均一）に偏って支持部材の内部に進入し、養生キャップが支持部材の内部に進入する過程で養生キャップが支持部材の頂部から不用意に外れ、養生キャップを火災感知器に設置することができないが、養生キャップが緊張下にある支持シートの上に位置しつつ支持シートに支持された状態で支持シートとともに支持部材の内部に進入するから、養生キャップの中央部が均一に支持部材の内部に進入し、養生キャップが支持部材の内部に進入する過程において養生キャップが支持部材の頂部から外れることはなく、養生キャップを火災感知器に確実に設置することができる。
【００１９】
養生キャップ設置具がロッドの先端部に取り付けられた固定部材を含み、支持部材の頂部が幅方向へ延びる旋回軸を介して固定部材に連結され、支持部材が旋回軸を中心に旋回可能である養生キャップ設置具は、火災感知器を支持部材の上方開口から支持部材の内部に嵌め込むときに、ロッドが天井面に対して斜め下方に傾斜していたとしても、支持部材が旋回軸を中心にロッドや固定部材に対して旋回可能であるから、天井面に対する支持部材の上方開口の平行状態を常時維持することができ、火災感知器の斜め下方からロッドを延ばした状態で支持部材の上方開口に火災感知器を嵌め込むことができる。養生キャップ設置具は、火災感知器の斜め下方から養生キャップを火災感知器に容易に設置することができ、火災感知器に対する養生キャップの設置作業を火災感知器の斜め下方から短時間に効率よく行うことができる。天井面に対して支持筒の上方開口が傾斜した状態で上方開口に火災感知器を嵌め込むと、支持シートや養生キャップが部分的（不均一）に偏って支持部材の内部に進入し、養生キャップが支持部材の内部に進入する過程で養生キャップが支持部材から不用意に外れ、養生キャップを火災感知器に設置することができないが、養生キャップ設置具は、支持部材が旋回軸を中心に旋回し、支持部材の上方開口の天井面に対する平行状態が維持されるから、支持シートや養生キャップが均一（均等）に支持部材の内部に進入するとともに、支持部材の外周面に位置する養生キャップが支持部材の上方開口へ向かって均一（均等）に移動し、養生キャップが支持部材の内部に進入する過程において養生キャップが支持部材から外れることはなく、養生キャップを火災感知器に確実に設置することができる。
【００２０】
養生キャップ設置具がロッドの先端部に取り付けられた固定部材と幅方向へ延びる第１旋回軸を介して固定部材に旋回可能に連結された旋回部材とを含み、支持部材の頂部が第１旋回軸と交差する方向へ延びる第２旋回軸を介して旋回部材に連結され、支持部材が第１旋回軸を中心に旋回可能であるとともに、第２旋回軸を中心に旋回可能である養生キャップ設置具は、火災感知器を支持部材の上方開口から支持部材の内部に嵌め込むときに、ロッドが天井面に対して斜め下方に傾斜していたとしても、支持部材が第１旋回軸を中心にロッドや固定部材に対して旋回可能であり、支持部材が第２旋回軸を中心にロッドや固定部材、旋回部材に対して旋回可能であるから、天井面に対する支持部材の上方開口の平行状態を常時維持することができ、火災感知器の斜め下方のどの方向からもロッドを延ばした状態で支持部材の上方開口に火災感知器を嵌め込むことができる。養生キャップ設置具は、火災感知器の斜め下方のどの方向からも養生キャップを火災感知器に容易に設置することができ、火災感知器に対する養生キャップの設置作業を火災感知器の斜め下方から短時間に効率よく行うことができる。天井面に対して支持筒の上方開口が傾斜した状態で上方開口に火災感知器を嵌め込むと、支持シートや養生キャップが部分的（不均一）に偏って支持部材の内部に進入し、養生キャップが支持部材の内部に進入する過程で養生キャップが支持部材から不用意に外れ、養生キャップを火災感知器に設置することができないが、養生キャップ設置具は、支持部材が第１旋回軸や第２旋回軸を中心に旋回し、支持部材の上方開口の天井面に対する平行状態が維持されるから、支持シートや養生キャップが均一（均等）に支持部材の内部に進入するとともに、支持部材の外周面に位置する養生キャップが支持部材の上方開口へ向かって均一（均等）に移動し、養生キャップが支持部材の内部に進入する過程において養生キャップが支持部材から外れることはなく、養生キャップを火災感知器に確実に設置することができる。
【００２１】
支持部材が円形の上方開口と底部に開口する円形の下方開口とを有する支持筒であり、火災報知器を支持筒の上方開口に嵌め込むときに、支持筒の上方開口に嵌め込まれる火災報知器を下方開口から視認可能である養生キャップ設置具は、支持筒の下方開口から火災報知器を見ることができるから、養生キャップを火災感知器に設置するときに、下方開口から火災報知器を見ながら火災感知器を支持筒の上方開口からその内部に嵌め込むことができ、養生キャップを火災感知器に容易に設置することができる。
【００２２】
支持筒がその底部に設置された錘を備え、ロッドを立てたときに、支持筒の上方開口が天井に対向するとともに下方開口がロッドに対向するように該支持筒が旋回する養生キャップ設置具は、支持筒の底部に錘を設置することで、支持筒の重心が底部に移動し、ロッドが天井面に対して斜め下方に傾斜していたとしても、支持筒が確実に旋回して支持筒の上方開口が天井面に対して平行になるから、火災感知器の斜め下方からロッドを延ばした状態で支持部材の上方開口に火災感知器を嵌め込むことができ、養生キャップを火災感知器に容易に設置することができる。
【００２３】
伸縮弾性手段が支持筒の外周面の周り方向へ所定寸法離間して支持筒の軸方向へ伸張下に配置されて支持シートに連結された上部と支持筒に連結された下部と上下部の間に位置して支持筒の軸方向へ伸張された中間部とを有する伸縮弾性部材である養生キャップ設置具は、支持筒の軸方向へ伸張下に配置された伸縮弾性部材の付勢力によって支持シートの緊張状態が維持され、支持シートが伸縮弾性部材の付勢力に抗して上方開口から下方に向かって支持部材の内部に進入しつつ、支持シートに支持された養生キャップが上方開口から下方に向かって支持部材の内部に進入するから、養生キャップの中央部が均一に支持部材の内部に進入し、養生キャップが支持部材の内部に進入する過程において養生キャップが支持部材の頂部から外れることはなく、養生キャップを火災感知器に確実に設置することができる。
【００２４】
支持シートが弾性伸縮性を有することで伸縮弾性手段を兼ね備え、支持筒の軸方向へ伸張下に配置されているとともに、支持筒の上方開口の径方向外方へ緊張された状態で上方開口に被さり、支持シートの支持筒の外周面に位置する部分が支持筒の外周面に連結されている養生キャップ設置具は、弾性伸縮性を有する支持シートが支持筒の軸方向へ伸張下に配置されることで支持シートの緊張状態が維持され、支持シートがその付勢力に抗して上方開口から下方に向かって支持部材の内部に進入しつつ、支持シートに支持された養生キャップが上方開口から下方に向かって支持部材の内部に進入するから、養生キャップの中央部が均一に支持部材の内部に進入し、養生キャップが支持部材の内部に進入する過程において養生キャップが支持部材の頂部から外れることはなく、養生キャップを火災感知器に確実に設置することができる。
【００２５】
養生キャップが火災感知器を包被する養生シートと養生シートの周縁部に伸張下に取り付けられて養生シートを火災感知器に設置したときに火災感知器の外周面を締め付ける伸縮弾性部材と養生シートの周縁部に取り付けられて養生シートを火災感知器に設置したときに火災感知器から床に向かって垂下する紐とから形成された養生キャップ設置具は、伸縮弾性部材を伸長させた養生シートを支持筒の上方開口と頂部とに被せた状態で、ロッドを把持しつつ火災感知器を支持筒の上方開口から支持筒の内部に嵌め込むことで、支持シートが伸縮弾性手段の付勢力に抗して上方開口から下方に向かって支持筒の内部に進入しつつ、養生シートが上方開口から下方に向かって支持筒の内部に進入し、養生シートが支持筒の頂部から火災感知器に移動して養生キャップが火災感知器に設置されるとともに養生シートの伸縮弾性部材が火災感知器の外周面を締め付けるから、脚立を使用する必要ことなく室の床に位置した状態で、火災感知器と室内雰囲気とを遮断して室の修繕工事の際に火災感知器の誤作動を防止する養生キャップを人の手が届かない天井に取り付けられた火災感知器に容易に設置することができ、室の修繕工事にすみやかに取りかかることができる。養生キャップ設置具は、室の修繕工事が終了した後に、養生シートの周縁部から床に向かって垂下する紐を下方へ引っ張ることで、養生キャップが火災感知器から外れるから、養生キャップを火災感知器から容易に取り外すことができる。
【図面の簡単な説明】
【００２６】
【図１】一例として示す養生キャップ設置具の斜視図。
【図２】養生キャップ設置具の上面図。
【図３】養生キャップ設置具の側面図。
【図４】支持筒が旋回した状態で示す養生キャップ設置具の正面図。
【図５】支持シートを取り付けた一例として示す支持筒の斜視図。
【図６】支持シートを取り付けた他の一例として示す支持筒の斜視図。
【図７】一例として示す養生キャップの斜視図。
【図８】養生キャップ設置具を利用して養生キャップを火災感知器に設置する養生キャップ設置作業を説明する図。
【図９】図８から続く養生キャップ設置作業を説明する図。
【図１０】図９から続く養生キャップを火災感知器に設置した後の図。
【図１１】他の一例として示す養生キャップ設置具の斜視図。
【図１２】養生キャップ設置具の上面図。
【図１３】養生キャップ設置具の側面図。
【図１４】旋回フレームが旋回した状態で示す養生キャップ設置具の正面図。
【図１５】養生キャップ設置具を利用して養生キャップを火災感知器に設置する養生キャップ設置作業を説明する図。
【図１６】図１５から続く養生キャップ設置作業を説明する図。
【図１７】図１６から続く養生キャップを火災感知器に設置した後の図。
【発明を実施するための形態】
【００２７】
一例として示す養生キャップ設置具１０Ａの斜視図である図１等の添付の図面を参照し、本発明にかかる養生キャップ設置具の詳細を説明すると、以下のとおりである。なお、図２は、養生キャップ設置具１０Ａの上面図であり、図３は、養生キャップ設置具１０Ａの側面図である。図４は、支持筒１４が旋回した状態で示す養生キャップ設置具１０Ａの正面図であり、図５は、支持シート１５を取り付けた一例として示す支持筒１４の斜視図である。図２〜図４では、上下方向を矢印Ａ、幅方向を矢印Ｂで示し、前後方向を矢印Ｃで示す。図５では、径方向を矢印Ｄ、軸方向を矢印Ｅで示し、周り方向を矢印Ｆで示す。
【００２８】
養生キャップ設置具１０Ａは、室の改修工事や改装工事、改造工事、耐震補強工事、耐震改修工事等の修繕工事を行う前に、室内の天井４３に取り付けられた火災感知器４４に養生キャップ１７を設置する養生キャップ設置作業に使用される。火災感知器４４に養生キャップ１７を設置することで、修繕工事中における火災感知器４４と室内雰囲気との接触を防いで火災感知器４４の誤作動を防止する。
【００２９】
養生キャップ設置具１０Ａは、上下方向へ延びるロッド１１と、ロッド１１に取り付けられた固定部材１２（固定プレート）と、固定部材１２に取り付けられた一対の旋回軸１３と、固定部材１２に連結された支持筒１４（支持部材）と、支持シート１５および伸縮弾性手段１６とから形成されている。なお、養生キャップ設置具１０Ａが養生キャップ１７とともに販売される場合、養生キャップ設置具１０Ａは、ロッド１１、固定部材１２、旋回軸１３、支持筒１４（支持部材）、支持シート１５、伸縮弾性手段１６、養生キャップ１７から形成される。また、図示はしていないが、支持シート１５および伸縮弾性手段１６を備えていなくてもよく、この場合は、養生キャップ設置具１０Ａがロッド１１、固定部材１２、旋回軸１３、支持筒１４（支持部材）から形成される（養生キャップ１７を含む場合もある）。
【００３０】
ロッド１１は、上下方向へ長い第１ロッド１１ａと、第１ロッド１１ａの内部に摺動可能に収容された上下方向へ長い第２ロッド１１ｂとから作られている。それらロッド１１ａ，１１ｂは、合成樹脂または金属から作られて円筒状に成形されている。第１ロッド１１ａの下端部には、作業者が手で把持する取っ手１８が取り付けられている。
【００３１】
第１ロッド１１ａから第２ロッド１１ｂを上方へ引き出すことで、ロッド１１の長さ寸法を長くすることができ、第１ロッド１１ａの内部に第２ロッド１１ｂを収容することで、ロッド１１の長さ寸法を短くすることができる。ロッド１１は、所定の固定手段によって第１ロッド１１ａの所定の位置で第２ロッド１１ｂを固定することができ、ロッド１１の長さ寸法を室（天井４３）の高さ寸法にあわせて調節することができる。
【００３２】
固定部材１２は、合成樹脂または金属から作られ、固定ボルト１９によって第２ロッド１１ｂの先端部に固定されている。固定部材１２は、第２ロッド１１ｂの先端部の一方から幅方向外方へ延びた後に上方へ延びる第１アーム２０ａと、第２ロッド１１ｂの先端部の他方から幅方向外方へ延びた後に上方へ延びる第２アーム２０ｂとから形成されている。
【００３３】
旋回軸１３の一方は、第１アーム２０ａの先端部分２１に固定（溶接または螺着）されて幅方向へ延びている。旋回軸１３の他方は、第２アーム２０ｂの先端部分２１に固定（溶接または螺着）されて幅方向へ延びている。それら旋回軸１３は、幅方向へ対向している。なお、第１および第２アーム２０ａ，２０ｂのうちのいずれか一方のみが固定部材１２を形成していてもよい。この場合は、第１および第２アーム２０ａ，２０ｂのうちのいずれかの先端部分２１に旋回軸１３が固定される。
【００３４】
支持筒１４は、合成樹脂または金属から作られて円筒状に成形されている。支持筒１４は、頂部２２および底部２４と、頂底部２２，２４の間に位置する中央部２３とを有するとともに、頂部２２に囲繞された円形の上方開口２５と、底部２４に囲繞された円形の下方開口２６とを有する。支持筒１４の頂部２２には、幅方向へ対向する一対の軸孔２７が穿孔されている。
【００３５】
それら軸孔２７に各旋回軸１３が挿通され、支持筒１４が旋回軸１３に対して回転する。支持筒１３の底部２４には、支持筒１４の周り方向へ等間隔離間（所定寸法離間）して並ぶ複数の錘螺着孔が穿孔されている。錘螺着孔には、錘となる複数本のボルト２８が螺着されている。錘としてボルト２８が利用されているが、ボルト２８の他に、所定重量かつ所定形状の金属が支持筒の底部に取り付けられて錘を形成していてもよい。
【００３６】
支持筒１４は、第１アーム２０ａと第２アーム２０ｂとの間に位置し、図３に矢印Ｃで示すように第１および第２アーム２０ａ，２０ｂの間において旋回軸１３を中心に前後方向へ旋回する。支持筒１４の頂部２２がそれら旋回軸１３に回転可能に連結され、支持筒１４の底部２４に複数本のボルト２８（錘）を設置することで、支持筒１４の重心が底部１４に移動し、ロッド１１を起立させ、または、ロッド１１が斜めに傾いたとしても、支持筒１４の上方開口２５（支持筒１４の頂部２２の頂縁２２ａ）が水平になるように支持筒１４が旋回軸１３を中心に旋回する。なお、支持筒１４が固定部材１２（第１および第２アーム２０ａ，２０ｂ）に旋回不能に固定されていてもよい。この場合は、ロッド１１を垂直に起立させたときに上方開口２５が室内の天井４３に向かうように、支持筒１４が固定部材１２固定される。
【００３７】
上方開口２５と下方開口２６とは同形同大であり、上方開口２５は火災感知器４４を嵌め込む大きさを有する。支持筒１４には、上方開口２６から嵌め込んだ火災感知器４４が進入する内部空間２９が画成されている。なお、頂部２２に火災感知器４４を嵌め込む円形の上方開口２５を備え、火災感知器４４が進入する内部空間２９を有し、第１および第２アーム２０ａ，２０ｂの間において旋回軸１３を中心に前後方向へ旋回可能な支持部材であれば、その形状に特に制限はなく、底蓋を有する場合や断面形状が角形である場合も含まれる。また、第２ロッド１１ｂの先端部に第１および第２アーム２０ａ，２０ｂのうちのいずれか一方のみが固定されている場合、支持筒１４の軸孔２７に第１および第２アーム２０ａ，２０ｂのいずれかに固定された旋回軸１３が挿通され、支持筒１４が旋回軸１３に対して回転し、支持筒１４が旋回軸１３を中心に前後方向へ旋回する。
【００３８】
支持シート１５は、非伸縮性の無色透明または有色透明なプラスチックフィルム（プラスチックシート）から作られている。支持シート１５は、支持筒１４の上方開口２５に配置された中央部３０と、支持筒１４の頂部２２の外周面３１に配置された周縁部３２とを有する。支持シート１５の中央部３０は、上方開口２５に被さっている（覆っている）。なお、支持シート１５は、支持筒１４の立体的な形状にあわせて立体裁断されている。伸縮弾性手段１６には、帯状の複数本のゴム３３（伸縮弾性部材）が利用されている。ゴム３３には、天然ゴムや合成天然ゴム、スチレンブタジエンゴム、ブタジエンゴム、ブチルゴム、ニトリルゴム、アクリルゴム、ウレタンゴム等のあらゆるゴムを使用することができる。図４では、４本の帯状ゴム３３が設置されているが、ゴム３３の本数に特に制限はなく、また、帯状の他に、紐状のゴムを使用することもできる。
【００３９】
それら帯状のゴム３３は、支持筒１４の外周面３１に配置され、図４に矢印Ｆで示すように、支持筒１４の外周面３１の周り方向へ等間隔離間（所定寸法離間）して並んでいる。それらゴム３３は、支持シート１５の周縁部３２に連結された上部３４と、支持筒１４の底部２４に連結された下部３６と、上下部３４，３６の間に延びる中間部３５とを有する。それらゴム３３の中間部３５は、図４に矢印Ｅで示すように、支持筒１４の軸方向へ伸長された状態にあり、支持シート１５の周縁部３２と支持筒１４の底部２４との間において支持筒１４の軸方向へ伸張下に配置されている。
【００４０】
それらゴム３３の軸方向への付勢力（弾性力）によって支持シート１５の周縁部３２が支持筒１４の上方開口２５（頂部２２）から下方開口２６（底部２４）に向かって軸方向へ付勢されている（引っ張られている）。さらに、図４に矢印Ｄで示すように、それらゴム３３の軸方向への付勢力によって支持シート１５の中央部３０が上方開口２５の径方向外方へ均等に引っ張られ、中央部３０が上方開口２５の径方向外方へ緊張された状態で上方開口２５に被さり、中央部３０が上方開口２５において径方向外方へ平坦に張られている。
【００４１】
支持シート１５の中央部３０を支持筒１４の上方開口２５から下方開口２６へ向かって押圧すると、ゴム３３の付勢力（弾性力）に抗して支持シート１５の中央部３０が下方開口２６へ向かって凹み、中央部３０が支持筒１４の内部空間２９に均一に進入するとともに、支持シート１５の周縁部３２が支持筒１４の外周面３１から上方開口２５に向かって引っ張られ、支持筒１４の内部空間２９に均一に進入する。支持シート１５の中央部３０に対する押圧力を解除すると、ゴム３３の付勢力によって支持シート１５の周縁部３２が上方開口２５（頂部２２）から下方開口２６（底部２４）に向かって引っ張られ、周縁部３２が支持筒１４の外周面３１に戻り、中央部３０が上方開口２５において平坦に戻る。
【００４２】
図６は、支持シート１５を取り付けた他の一例として示す支持筒１４の斜視図である。図６の支持筒１４が図５のそれと異なるところは、支持シート３７それ自体が弾性伸縮性（ゴム弾性）を有する素材から作られ、支持筒１４に帯状のゴム３３（伸縮弾性部材）が設置されていない点にある。この支持筒１４のその他の点は、図５のそれと同一である。支持シート３７は、それが弾性伸縮性を有する素材から作られることで、支持シート３７自体が伸縮弾性手段を兼ね備えている。弾性伸縮性を有する素材としては、無職透明または有色透明な伸縮性フィルム（伸縮性シート）や伸縮性不織布等を使用することができる。
【００４３】
支持シート３７は、支持筒１４の上方開口２５に配置された中央部３０と、支持筒１４の頂部２２の外周面３１に配置された周縁部３２とを有する。支持シート３７は、支持筒１４の上方開口２５（頂部２２）から下方開口２６（底部２４）に向かって軸方向へ伸長された状態でその周縁部３２（支持シート３７の支持筒１４の外周面３１に位置する部分）が支持筒１４の中央部２３の外周面３１に固定（連結）されている。支持シート３７では、その中央部３０が上方開口２５の径方向外方へ均等に引っ張られ、中央部３０が上方開口２５の径方向外方へ緊張された状態で上方開口２５に被さり、中央部３０が上方開口２５において径方向外方へ平坦に張られている。なお、支持シート３７は、支持筒１４の立体的な形状にあわせて立体裁断されている。
【００４４】
図７は、一例として示す養生キャップ１７の斜視図である。養生キャップ１７は、所定面積を有する円形の養生シート３８と、伸縮弾性部材（ゴム３９）と、長尺の紐４０とから形成されている。養生シート３８は、無色または有色あるいは模様を有するプラスチックフィルム（プラスチックシート）から作られ、火災感知器４４全体を包被する大きさを有する。伸縮弾性部材には、紐状または帯状のゴム３９が利用されている。ゴム３９（伸縮弾性部材）は、養生シート３８の周縁部４１に伸張下に取り付けられている。養生シート３８の周縁部４１には、ゴム３９が縮むことによる複数のギャザーが形成されている。紐４０は、プラスチックまたは布から作られ、養生シート３８の周縁部４１に取り付けられている。
【００４５】
図８は、養生キャップ設置具１０Ａを利用して養生キャップ１７を火災感知器４４に設置する養生キャップ設置作業を説明する図であり、図９は、図８から続く養生キャップ設置作業を説明する図である。図１０は、図９から続く養生キャップ１７を火災感知器４４に設置した後の図である。
【００４６】
養生キャップ設置作業では、図５の支持筒１４を設置した養生キャップ設置具１０Ａを利用しているが、図６の支持筒１４を設置した養生キャップ設置具１０Ａを利用して養生キャップ設置作業を行うこともできる。修繕工事を行う前の養生キャップ設置作業では、最初に養生キャップ１７を支持筒１４の頂部２２にセットする。養生シート３８の周縁部４１に取り付けられたゴム３９を伸ばし、養生シート３８を広げた状態で、養生キャップ１７を支持筒１４の上方開口２５と頂部２２とに被せる。
【００４７】
養生キャップ１７を支持筒１４に被せると、養生シート３８の周縁部４１が支持筒１４の頂部２２の外周面３１（支持シート１５の周縁部３２）に位置し、周縁部４１の下に支持シート１５の周縁部３２が位置するとともに、養生シート３８の中央部４２が支持筒１４の上方開口２５（支持シート１５の中央部３０）に位置し、中央部４２の下に支持シート１５の中央部３０が位置する。養生シート３８に取り付けられたゴム３９が縮み、養生シート３８の周縁部４１に複数のギャザーが形成され、ゴム３９（養生シート３８の周縁部４１）が支持筒１４の頂部２２の外周面３１を締め付ける。ゴム３９が支持筒１４の頂部２２の外周面３１を締め付けることで、養生キャップ１７が支持筒１４の頂部２２にセットされる。
【００４８】
養生キャップ１７を支持筒１４の頂部２２にセットした後、養生キャップ設置作業を行う作業者は、室の床に位置した状態で第１ロッド１１ａの下端部の取っ手１８を手で把持し、ロッド１１を上下方向へ立てる。ロッド１１を上下方向へ立てると、支持筒１４の上方開口２５が天井４３に対向するとともに下方開口２６がロッド１１に対向するように支持筒１４が旋回軸１３を中心に旋回し、支持筒１４の上方開口２５（支持筒１４の頂部２２の頂縁２２ａ）が天井面４５に対して平行になる。なお、図９に示すように、ロッド１１が天井面４５に対して斜め下方に傾斜したとしても、支持筒１４の上方開口２５（支持筒１４の頂部２２の頂縁２２ａ）の天井面４５に対する平行状態が維持される。
【００４９】
作業者は、ロッド１１を立てたまま（ロッド１１を傾斜させた状態）、天井４３に取り付けられた火災感知器４４に支持筒１４を近づけ、支持筒１４の上方開口２５を火災感知器４４の直下に位置させる。次に、支持筒１４の上方開口２５を火災感知器４４に向かって上方へ移動させ、火災感知器４４を支持筒１４の下方開口２６から視認しつつ、火災感知器４４を支持筒１４の上方開口２５から支持筒１４の内部空間２９に嵌め込む。養生キャップ設置具１０Ａは、ロッド１１が天井面４５に対して斜め下方に傾斜していたとしても、支持筒１４（支持部材）が旋回軸１３を中心にロッド１１や固定部材１２に対して旋回可能であるから、天井面４５に対する支持筒１４の上方開口２５（支持筒１４の頂部２２の頂縁２２ａ）の平行状態を常時維持することができ、火災感知器４４の斜め下方からロッド１１を延ばした状態、かつ、天井面４５に対して支持筒１４の上方開口２５を平行にした状態で支持筒１４の上方開口２５に火災感知器４４を嵌め込むことができる。
【００５０】
養生キャップ設置具１０Ａは、火災感知器４４を支持筒１４の上方開口２５に嵌め込むときに、支持筒１４の上方開口２５に嵌め込まれる火災感知器４４を支持筒１４の下方開口２６から見ることができるから、支持筒１４の上方開口２５と火災感知器４４との位置あわせが容易であり、下方開口２６から火災感知器４４を見ながら火災感知器４４を支持筒１４の上方開口２５から内部空間２９に容易に嵌め込むことができる。
【００５１】
火災感知器４４を支持筒１４の内部空間２９に嵌め込むと、火災感知器４４によって養生キャップ１７の養生シート３８の中央部４２と支持シート１５の中央部３０とが支持筒１４の上方開口２５から下方開口２６へ向かって押圧される。養生キャップ設置具１０Ａでは、ゴム３３の付勢力（弾性力）に抗して支持シート１５の中央部３０が上方開口２５から下方開口２６へ向かって凹み、中央部３０が上方開口２５から下方開口２６（下方）に向かって支持筒１４の内部空間２９に均一（均等）に進入するとともに、支持シート１５の周縁部３２が支持筒１４の外周面３１から上方開口２５に向かって引っ張られ、周縁部３２の一部が上方開口２５から下方開口２６（下方）に向かって支持筒１４の内部空間２９に均一（均等）に進入する。
【００５２】
養生キャップ設置具１０Ａでは、支持シート１５の動き（移動）に追従し、養生シート３８の中央部４２が上方開口２５から下方開口２６へ向かって凹み、中央部４２が上方開口２５から下方開口２６（下方）に向かって支持筒１４の内部空間２９に均一（均等）に進入するとともに、養生シート３８の周縁部４１が支持筒１４の外周面３１から上方開口２５に向かって引っ張られ、周縁部４１が支持筒１４の頂部２２の頂縁２２ａを乗り越えて周縁部４１が支持筒１４の頂部２２から火災感知器４４の外周面４６に移動し、養生キャップ１７が火災感知器４４に設置される。火災感知器４４は、養生キャップ１７に包被され、その全体が養生キャップ１７に覆われる。なお、支持シート１５および伸縮弾性手段１６を備えていない場合は、養生シート３８の中央部４２が上方開口２５から下方開口２６へ向かって凹み、中央部４２が上方開口２５から下方開口２６（下方）に向かって支持筒１４の内部空間２９に進入し、周縁部４１が支持筒１４の頂部２２の頂縁２２ａを乗り越えて周縁部４１が支持筒１４の頂部２２から火災感知器４４の外周面４６に移動し、養生キャップ１７が火災感知器４４に設置される。
【００５３】
養生キャップ１７が火災感知器４４に設置された後、支持筒１４が火災感知器４４から離間するようにロッド１１（支持筒１４）を下方に移動させる。養生シート３８の周縁部４１に取り付けられたゴム３９によって周縁部４１が火災感知器４４の外周面４６を締め付け、養生シート３８の周縁部４１が火災感知器４４の外周面４６に密着し、養生キャップ１７が火災感知器４４から落下することはない。養生シート３８の周縁部４１に取り付けられた紐４０は、養生シート３８から床に向かって垂下する。
【００５４】
養生キャップ設置具１０Ａでは、支持筒１４を下方に移動させると、支持シート１５に対する火災感知器４４の押圧力が解除され、ゴム３３の付勢力によって支持シート１５の周縁部３２が頂部２２（上方開口２５）から底部２４（下方開口２６）に向かって引っ張られ、支持筒１４の内部空間２９に移動していた周縁部３２が支持筒１４の外周面３１に戻り、中央部３０が上方開口２５において平坦に戻る。作業者は、あらたな養生キャップ１７を支持筒１４の頂部２２にセットした後、次の火災感知器４４の下に移動し、養生キャップ設置具１０Ａを利用して既述の手順によって養生キャップ１７を火災感知器４４に設置する。
【００５５】
養生キャップ設置具１０Ａは、ゴム３９（伸縮弾性部材）を伸長させた養生シート３８を支持筒１４（支持部材）の上方開口２５と頂部２２とに被せた状態で、ロッド１１の取っ手１８を把持しつつ火災感知器４４を支持筒１４の上方開口２５から支持筒１４の内部空間２９に嵌め込むことで、支持シート１５の中央部３０および周縁部３２がゴム３９（伸縮弾性手段）の付勢力に抗して支持筒１４の上方開口２５から下方開口２６（下方）に向かって支持筒１４の内部空間２９に進入しつつ、養生シート３８の中央部４２が上方開口２５から下方開口２６（下方）に向かって支持筒１４の内部空間２９に進入し、養生シート３８の周縁部４１が支持筒１４の頂部２２から火災感知器４４の外周面４６に移動して養生キャップ１７が火災感知器４４に設置されるとともに養生シート３８のゴム３９が火災感知器４４の外周面４６を締め付けるから、脚立を使用する必要することなく室の床に位置した状態で、火災感知器４４と室内雰囲気とを遮断して室の修繕工事の際に火災感知器４４の誤作動を防止する養生キャップ１７を火災感知器４４に容易に設置することができる。
【００５６】
養生キャップ設置具１０Ａは、人の手が届かない天井４３に取り付けられた火災感知器４４に養生キャップ１７を容易に設置することができ、手間と時間とを要することなく、火災感知器４４に対する養生キャップ１７の設置作業を短時間に効率よく行うことができるとともに、室の修繕工事にすみやかに取りかかることができる。
【００５７】
支持シート１５を介在させることなく養生キャップ１７を単独で支持筒１４の内部空間２９に進入させた場合、養生キャップ１７の養生シート３８が部分的（不均一）に偏って支持筒１４の内部空間２９に進入し、養生シート３８が支持筒１４の内部空間２９に進入する過程で養生キャップ１７が支持筒１４の頂部２２から不用意に外れ、養生キャップ１７を火災感知器４４に設置することができないが、養生キャップ設置具１０Ａは、養生キャップ１７の養生シート３８の中央部４２が緊張下にある支持シート１５の上に位置しつつ、支持シート１５に支持された状態で支持シート１５とともに支持筒１４の内部空間２９に進入するから、支持シート１５に追従して養生シート３８の中央部４２が均一（均等）に支持筒１４の内部空間２９に進入するとともに、支持筒１４の外周面３１に位置する養生シート３８の周縁部４１が支持筒１４の上方開口２５へ向かって均一（均等）に移動し、養生シート３８が支持筒１４の内部空間２９に進入する過程において養生キャップ１７が支持筒１４の頂部２２から外れることはなく、養生キャップ１７を火災感知器４４に確実に設置することができる。
【００５８】
天井面４５に対して支持筒１４の上方開口２５（支持筒１４の頂部２２の頂縁２２ａ）が傾斜した状態で上方開口２５に火災感知器４４を嵌め込むと、支持シート１５や養生キャップ１７の養生シート３８が部分的（不均一）に偏って支持筒１４の内部空間２９に進入し、養生シート３８が支持筒１４の内部空間２９に進入する過程で養生キャップ１７が支持筒１４の頂部２２から不用意に外れ、養生キャップ１７を火災感知器４４に設置することができないが、養生キャップ設置具１０Ａは、支持筒１４が旋回軸１３を中心に旋回し、支持筒１４の上方開口２５（支持筒１４の頂部２２の頂縁２２ａ）の天井面４５に対する平行状態が維持されるから、支持シート１５の中央部３０や養生シート３８の中央部４２が均一（均等）に支持筒１４の内部空間２９に進入するとともに、支持筒１４の外周面３１に位置する養生シート３８の周縁部４１が支持筒１４の上方開口２５へ向かって均一（均等）に移動し、養生シート３８が支持筒１４の内部空間２９に進入する過程において養生キャップ１７が支持筒１４の頂部２２から外れることはなく、養生キャップ１７を火災感知器４４に確実に設置することができる。
【００５９】
養生キャップ１７を火災感知器４４に設置した後、室の改修工事や改装工事、改造工事、耐震補強工事、耐震改修工事等の修繕工事が行われる。火災感知器４４の全体が養生キャップ１７に覆われ、養生キャップ１７によって火災感知器４４と室内雰囲気との接触が遮断されるから、修繕工事中に室内に漂う（充満する）塗料や薬剤、塵埃等が火災感知器４４に接触することはなく、修繕工事中に火災感知器４４が誤作動することはない。室の修繕工事が終了した後、紐４０を把持して紐４０を下方へ引っ張ることで、養生キャップ１７を火災感知器４４から取り外すことができる。養生キャップ設置具１０Ａによって火災感知器４４に設置された養生キャップ１７は、室の修繕工事が終了した後に、養生シート３８の周縁部４１から床に向かって垂下する紐４０を下方へ引っ張ることで火災感知器４４から外れるから、火災感知器４４から容易に取り外すことができる。
【００６０】
図１１は、他の一例として示す養生キャップ設置具１０Ｂの斜視図であり、図１２は、養生キャップ設置具１０Ｂの上面図である。図１３は、養生キャップ設置具１０Ｂの側面図であり、図１４は、旋回フレーム４７が旋回した状態で示す養生キャップ設置具１０Ｂの正面図である。図１２〜図１４では、上下方向を矢印Ａ、幅方向を矢印Ｂで示し、前後方向を矢印Ｃで示す。
【００６１】
この養生キャップ設置具１０Ｂが図１のそれと異なるところは、旋回フレーム４７（旋回部材）を有し、旋回フレーム４７が固定部材１２（固定プレート）に連結され、支持筒１４が旋回フレーム４７に連結されている点、固定部材１２に第１旋回軸１３ａが固定され、旋回フレーム４７に第２旋回軸１３ｂが固定されている点にあり、その他の構成は図１の養生キャップ設置具１０Ａと同一である。したがって、図１と同一の符号を付すとともに、図１の説明を援用することで、養生キャップ設置具１０Ｂのその他の構成についての詳細な説明は省略する。養生キャップ設置具１０Ｂは、養生キャップ設置具１０Ａと同様に、室の改修工事や改装工事、改造工事、耐震補強工事、耐震改修工事等の修繕工事を行う前に、室内の天井４３に取り付けられた火災感知器４４に養生キャップ１７を設置する養生キャップ設置作業に使用される。
【００６２】
養生キャップ設置具１０Ｂは、上下方向へ延びるロッド１１と、ロッド１１に取り付けられた固定部材１２（固定プレート）と、固定部材１２に取り付けられた一対の第１旋回軸１３ａと、固定部材１２に連結された旋回フレーム４７（旋回部材）と、旋回フレーム４７に取り付けられた一対の第２旋回軸１３ｂと、旋回フレーム４７に連結された支持筒１４（支持部材）と、支持シート１５および伸縮弾性手段１６とから形成されている。なお、養生キャップ設置具１０Ｂが養生キャップ１７とともに販売される場合、養生キャップ設置具１０Ｂは、ロッド１１、固定部材１２、第１旋回軸１３ａ、旋回フレーム４７、第２旋回軸１３ｂ、支持筒１４（支持部材）、支持シート１５、伸縮弾性手段１６、養生キャップ１７から形成される。
【００６３】
ロッド１１は、図１の養生キャップ設置具１０Ａのそれと同一であり、上下方向へ長い第１ロッド１１ａと、第１ロッド１１ａの内部に摺動可能に収容された上下方向へ長い第２ロッド１１ｂとから作られている。固定部材１２は、図１の養生キャップ設置具１０Ａのそれと同一であり、第１アーム２０ａと第２アーム２０ｂとから形成され、固定ボルト１９によって第２ロッド１１ｂの先端部に固定されている。第１旋回軸１３ａの一方は、第１アーム２０ａの先端部分２１に固定（溶接または螺着）されて幅方向へ延びている。第１旋回軸１３ａの他方は、第２アーム２０ｂの先端部分２１に固定（溶接または螺着）されて幅方向へ延びている。それら第１旋回軸１３ａは、幅方向へ対向している。
【００６４】
旋回フレーム４７は、合成樹脂または金属から作られて略環状に成型され、支持筒１４の外周面３１の外側に位置して支持筒１４の周り方向へ延びており、支持筒１４の全周を囲繞している。旋回フレーム４７の第１および第２アーム２０ａ，２０ｂに対向する箇所には、幅方向へ対向する一対の第１軸孔２７ａが穿孔されている。それら第１軸孔２７ａに各第１旋回軸１３ａが挿通され、旋回フレーム４７が第１旋回軸１３ａに対して回転する。旋回フレーム４７は、第１アーム２０ａと第２アーム２０ｂとの間に位置し、図１２，１３に矢印Ｃで示すように第１および第２アーム２０ａ，２０ｂの間において第１旋回軸２７ａを中心に前後方向へ旋回する。
【００６５】
第２旋回軸１３ｂの一方は、第１旋回軸１３ａ（旋回フレーム４７の第１軸孔２７ａ）から９０°離間した旋回フレーム４７の箇所に固定（溶接または螺着）されて前後方向（幅方向と交差する方向）へ延びている。第２旋回軸１３ｂの他方は、第１旋回軸１３ａ（旋回フレーム４７の第１軸孔２７ａ）から９０°離間した旋回フレーム４７の箇所に固定（溶接または螺着）されて前後方向（幅方向と交差する方向）へ延びている。それら第２旋回軸１３ｂは、前後方向へ対向している。
【００６６】
なお、旋回フレーム４７が支持筒１４の半周を囲繞する半環状に成型されていてもよい。旋回フレーム４７が半環状に成型されている場合、旋回フレーム４７の第１および第２アーム２０ａ，２０ｂに対向する箇所に一対の第１軸孔２７ａが穿孔され、それら第１軸孔２７ａに各第１旋回軸１３ａが挿通されるとともに、第１旋回軸１３ａ（旋回フレーム４７の第１軸孔２７ａ）から９０°離間した旋回フレーム４７の箇所に前後方向（幅方向と交差する方向）へ延びる第２旋回軸２７ｂが固定される。この場合も旋回フレーム４７が第１旋回軸１３ａに対して回転し、旋回フレーム４７が第１旋回軸１３ａを中心に前後方向へ旋回する。
【００６７】
支持筒１４は、図１の養生キャップ設置具１０Ａのそれと同一であり、頂部２２、中央部２３、底部２４、上方開口２５、下方開口２６を有する。支持筒１４の頂部２２の第１旋回軸１３ａ（旋回フレーム４７の第１軸孔２７ａ）から９０°離間した箇所には、前後方向（幅方向と交差する方向）へ対向する一対の第２軸孔２７ｂが穿孔されている。それら第２軸孔２７ｂに各第２旋回軸１３ｂが挿通され、支持筒１４が第２旋回軸１３ｂに対して回転する。支持筒１４の底部２４には支持筒１４の周り方向へ等間隔離間（所定寸法離間）して並ぶ複数の錘螺着孔が穿孔され、その錘螺着孔に錘となる複数本のボルト２８が螺着されている。
【００６８】
支持筒１４は、旋回フレーム４７の内側に位置し、図１２，１３に矢印Ｂで示すように旋回フレーム４７の内側において第２旋回軸１３ｂを中心に幅方向へ旋回する。支持筒１４の頂部２２がそれら第２旋回軸１３ｂ（旋回フレーム４７）に連結され、支持筒１４の底部２４に複数本のボルト２８（錘）を設置することで、支持筒１４の重心が底部２４に移動し、ロッド１１を起立させ、または、ロッド１１が斜めに傾いたとしても、支持筒１４の上方開口２５（支持筒１４の頂部２２の頂縁２２Ａ）が水平になるように、支持筒１３が第２旋回軸１３ｂを中心に旋回するとともに、旋回フレーム４７が第１旋回軸１３ａを中心に旋回する。なお、旋回フレーム４７が半環状に成形されている場合、支持筒１４の第２軸孔２７ｂに旋回フレーム４７に固定された第２旋回軸１３ｂが挿通され、支持筒１４が第２旋回軸１３ｂに対して回転し、支持筒１４が第２旋回軸１３ｂを中心に幅方向へ旋回する。
【００６９】
支持シート１５は、図１の養生キャップ設置具１０Ａのそれと同一であり、支持筒１４の上方開口２５に配置されて上方開口２５に被さる中央部３０と、支持筒１４の頂部２２の外周面３１に配置された周縁部３２とを有する。伸縮弾性手段１６には、帯状の複数本のゴム３３（伸縮弾性部材）が利用されている。それら帯状のゴム３３は、図１の養生キャップ設置具１０Ａのそれと同一であり、支持筒１４の外周面３１に配置され、支持筒１４の外周面３１の周り方向へ等間隔離間（所定寸法離間）して並び、その中間部３５が支持シート１５の周縁部３２と支持筒１４の底部２４との間において支持筒１４の軸方向へ伸張下に配置されている。
【００７０】
それらゴム３３の軸方向への付勢力（弾性力）によって支持シート１５の周縁部３２が支持筒１４の頂部２２（上方開口２５）から底部２４（下方開口２６）に向かって軸方向へ付勢され、それらゴム３３の軸方向への付勢力によって支持シート１５の中央部３０が上方開口２５の径方向外方へ均等に引っ張られ、中央部３０が上方開口２５の径方向外方へ緊張された状態で上方開口２５に被さり、中央部３０が上方開口２５において径方向外方へ平坦に張られている。なお、支持筒１４として図６に示すそれを使用することもできる。養生キャップ１７は、図７に示すそれが使用されている。
【００７１】
図１５は、養生キャップ設置具１０Ｂを利用して養生キャップ１７を火災感知器４４に設置する養生キャップ設置作業を説明する図であり、図１６は、図１５から続く養生キャップ設置作業を説明する図である。図１７は、図１６から続く養生キャップ１７を火災感知器４４に設置した後の図である。
【００７２】
養生キャップ設置作業では、図５の支持筒１４を設置した養生キャップ設置具１０Ｂを利用しているが、図６の支持筒１４を設置した養生キャップ設置具１０Ｂを利用して養生キャップ設置作業を行うこともできる。養生キャップ設置具１０Ｂを利用した養生キャップ設置作業では、最初に養生キャップ１７を支持筒１４の頂部２２にセットする。養生シート３８の周縁部４１に取り付けられたゴム３９を伸ばし、養生シート３８を広げた状態で、養生キャップ１７を支持筒１４の上方開口２５と頂部２２とに被せる。
【００７３】
養生キャップ１７を支持筒１４に被せると、養生シート３８の周縁部４１が支持筒１４の頂部２２の外周面３１に位置し、周縁部４１の下に支持シート１５の周縁部３２が位置するとともに、養生シート３８の中央部４２が支持筒１４の上方開口２５に位置し、中央部４２の下に支持シート１５の中央部３０が位置する。養生シート３８に取り付けられたゴム３９が縮み、養生シート３８の周縁部４１に複数のギャザーが形成され、ゴム３９（養生シート３８の周縁部４１）が支持筒１４の頂部２２の外周面３１を締め付けることで、養生キャップ１７が支持筒１４の頂部２２にセットされる。
【００７４】
養生キャップ１７を支持筒１４の頂部２２にセットした後、作業者は、第１ロッド１１ａの下端部の取っ手１８を手で把持し、ロッド１１を上下方向へ立てる。ロッド１１を上下方向へ立てると、支持筒１４の上方開口２５が天井４３に対向するとともに下方開口２６がロッド１１に対向するように、旋回フレーム４７が第１旋回軸１３ａを中心に旋回し、支持筒１４が第２旋回軸１３ｂを中心に旋回し、支持筒１４の上方開口２５（支持筒１４の頂部２２の頂縁２２ａ）が天井面４５に対して平行になる。なお、ロッド１１が天井面４５に対してあらゆる方向から斜め下方に傾斜したとしても、旋回フレーム４７が第１旋回軸１３ａを中心に旋回し、支持筒１４が第２旋回軸１３ｂを中心に旋回するから、支持筒１４の上方開口２５（支持筒１４の頂部２２の頂縁２２ａ）の天井面４５に対する平行状態が常時維持される。
【００７５】
作業者は、ロッド１１を立てたまま（ロッド１１を傾斜させた状態）、天井４３に取り付けられた火災感知器４４に支持筒１４を近づけ、支持筒１４の上方開口２５を火災感知器４４の直下に位置させる。次に、支持筒１４の上方開口２５を火災感知器４４に向かって上方へ移動させ、火災感知器４４を支持筒１４の下方開口２６から視認しつつ、火災感知器４４を支持筒１４の上方開口２５から支持筒１４の内部空間２９に嵌め込む。養生キャップ設置具１０Ｂは、ロッド１１が天井面４５に対して斜め下方に傾斜していたとしても、旋回フレーム４７（旋回部材）が第１旋回軸１３ａを中心にロッド１１や固定部材１２に対して旋回可能であり、支持筒１４（支持部材）が第２旋回軸１３ｂを中心にロッド１１や固定部材１２、旋回フレーム４７に対して旋回可能であるから、天井面４５に対する支持筒１３の上方開口２５（支持筒１４の頂部２２の頂縁２２ａ）の平行状態をあらゆる方向において維持することができ、火災感知器４４の斜め下方からロッド１１を延ばした状態、かつ、天井面４５に対して支持筒１４の上方開口２５を平行にした状態で支持筒１４の上方開口２５に火災感知器４４を嵌め込むことができる。
【００７６】
養生キャップ設置具１０Ｂは、火災感知器４４を支持筒１４の上方開口２５に嵌め込むときに、支持筒１４の上方開口２５に嵌め込まれる火災感知器４４を支持筒１４の下方開口２６から見ることができるから、支持筒１４の上方開口２５と火災感知器４４との位置あわせが容易であり、下方開口２６から火災感知器４４を見ながら火災感知器４４を支持筒１４の上方開口２５から内部空間２９に容易に嵌め込むことができる。
【００７７】
火災感知器４４を支持筒１４の内部空間２９に嵌め込むと、火災感知器４４によって養生キャップ１７の養生シート３８の中央部４２と支持シート１５の中央部３０とが支持筒１４の上方開口２５から下方開口２６へ向かって押圧される。養生キャップ設置具１０Ｂでは、ゴム３３の付勢力（弾性力）に抗して支持シート１５の中央部３０が上方開口２５から下方開口２６へ向かって凹み、中央部３０が上方開口２５から下方開口２６（下方）に向かって支持筒１４の内部空間２９に均一（均等）に進入するとともに、支持シート１５の周縁部３２が支持筒１４の外周面３１から上方開口２５に向かって引っ張られ、周縁部３２の一部が上方開口２５から下方開口２６（下方）に向かって支持筒１４の内部空間２９に均一（均等）に進入する。
【００７８】
養生キャップ設置具１０Ｂでは、支持シート１５の動き（移動）に追従し、養生シート３８の中央部４２が上方開口２５から下方開口２６へ向かって凹み、中央部４２が上方開口２５から下方開口２６（下方）に向かって支持筒１４の内部空間２９に均一（均等）に進入するとともに、養生シート３８の周縁部４１が支持筒１４の外周面３１から上方開口２５に向かって引っ張られ、周縁部４１が支持筒１４の頂部２２の頂縁２２ａを乗り越えて周縁部４１が支持筒１４の頂部２２から火災感知器４４の外周面４６に移動し、養生キャップ１７が火災感知器４４に設置される。火災感知器４４は、養生キャップ１７に包被され、その全体が養生キャップ１７に覆われる。
【００７９】
養生キャップ１７が火災感知器４４に設置された後、支持筒１４が火災感知器４４から離間するようにロッド１１（支持筒１４）を下方に移動させる。養生シート１７の周縁部４１に取り付けられたゴム３９によって周縁部４１が火災感知器４４の外周面４６を締め付け、養生シート１７の周縁部４１が火災感知器４４の外周面４６に密着し、養生キャップ１７が火災感知器４４から落下することはない。養生シート３８の周縁部４１に取り付けられた紐４０は、養生シート３８から床に向かって垂下する。
【００８０】
養生キャップ設置具１０Ｂでは、支持筒１４を下方に移動させると、支持シート１５に対する火災感知器４４の押圧力が解除され、ゴム３３の付勢力によって支持シート１５の周縁部３２が頂部２２（上方開口２５）から底部２４（下方開口２６）に向かって引っ張られ、支持筒１４の内部空間２９に移動していた周縁部３２が支持筒１４の外周面３１に戻り、中央部３０が上方開口２５において平坦に戻る。作業者は、あらたな養生キャップ１７を支持筒１４の頂部２２にセットした後、次に火災感知器４４の下に移動し、養生キャップ設置具１０Ｂを利用して既述の手順によって養生キャップ１７を火災感知器４４に設置する。
【００８１】
養生キャップ設置具１０Ｂは、ゴム３９（伸縮弾性部材）を伸長させた養生シート３８を支持筒１４（支持部材）の上方開口２５と頂部２２とに被せた状態で、ロッド１１の取っ手１８を把持しつつ火災感知器４４を支持筒１４の上方開口２５から支持筒１４の内部空間２９に嵌め込むことで、支持シート１５の中央部３０および周縁部３２がゴム３３（伸縮弾性手段）の付勢力に抗して支持筒１４の上方開口２５から下方開口２６（下方）に向かって支持筒１４の内部空間２９に進入しつつ、養生シート３８の中央部４２が上方開口２５から下方開口２５（下方）に向かって支持筒１４の内部空間２９に進入し、養生シート３８の周縁部４１が支持筒１４の頂部２２から火災感知器４４の外周面４６に移動して養生キャップ１７が火災感知器４４に設置されるとともに養生シート３８のゴム３９が火災感知器４４の外周面４６を締め付けるから、脚立を使用する必要することなく室の床に位置した状態で、火災感知器４４と室内雰囲気とを遮断して室の修繕工事の際に火災感知器４４の誤作動を防止する養生キャップ１７を火災感知器４４に容易に設置することができる。
【００８２】
養生キャップ設置具１０Ｂは、人の手が届かない天井４３に取り付けられた火災感知器４４に養生キャップ１７を容易に設置することができ、手間と時間とを要することなく、火災感知器４４に対する養生キャップ１７の設置作業を短時間に効率よく行うことができるとともに、室の修繕工事にすみやかに取りかかることができる。
【００８３】
支持シート１５を介在させることなく養生キャップ１７を単独で支持筒１４の内部空間２９に進入させた場合、養生キャップ１７の養生シート３８が部分的（不均一）に偏って支持筒１４の内部空間２９に進入し、養生シート３８が支持筒１４の内部空間２９に進入する過程で養生キャップ１７が支持筒１４の頂部２２から不用意に外れ、養生キャップ１７を火災感知器４４に設置することができないが、養生キャップ設置具１０Ｂは、養生キャップ１７の養生シート３８の中央部４２が緊張下にある支持シート１５の上に位置しつつ、支持シート１５に支持された状態で支持シート１５とともに支持筒１４の内部空間２９に進入するから、支持シート１５に追従して養生シート３８の中央部４２が均一（均等）に支持筒１４の内部空間２９に進入するとともに、支持筒１４の外周面３１に位置する養生シート３８の周縁部４１が支持筒１４の上方開口２５へ向かって均一（均等）に移動し、養生シート３８が支持筒１４の内部空間２９に進入する過程において養生キャップ１７が支持筒１４の頂部２２から外れることはなく、養生キャップ１７を火災感知器４４に確実に設置することができる。
【００８４】
天井面４５に対して支持筒１４の上方開口２５（支持筒１４の頂部２２の頂縁２２ａ）が傾斜した状態で上方開口２５に火災感知器４４を嵌め込むと、支持シート１５や養生キャップ１７の養生シート３８が部分的（不均一）に偏って支持筒１４の内部空間２９に進入し、養生シート３８が支持筒１４の内部２２に進入する過程で養生キャップ１７が支持筒１４の頂部２２から不用意に外れ、養生キャップ１７を火災感知器４４に設置することができないが、養生キャップ設置具１０Ｂは、旋回フレーム４７が第１旋回軸１３ａを中心に旋回し、支持筒１４が第２旋回軸１３ｂを中心に旋回し、支持筒１４の上方開口２５（支持筒１４の頂部２２の頂縁２２ａ）の天井面４５に対する平行状態が維持されるから、支持シート１５の中央部３０や養生シート３８の中央部４２が均一（均等）に支持筒１４の内部空間２９に進入するとともに、支持筒１４の外周面３１に位置する養生シート３８の周縁部４１が支持筒１４の上方開口２５へ向かって均一（均等）に移動し、養生シート３８が支持筒１４の内部空間２９に進入する過程において養生キャップ１７が支持筒１４の頂部２２から外れることはなく、養生キャップ１７を火災感知器４４に確実に設置することができる。
【００８５】
養生キャップ１７を火災感知器４４に設置した後、室の修繕工事が行われる。火災感知器４４の全体が養生キャップ１７に覆われ、養生キャップ１７によって火災感知器４４と室内雰囲気との接触が遮断されるから、修繕工事中に室内に漂う（充満する）塗料や薬剤、塵埃等が火災感知器４４に接触することはなく、修繕工事中に火災感知器４４が誤作動することはない。室の修繕工事が終了した後、紐４０を把持して紐４０を下方へ引っ張ることで、養生キャップ１７を火災感知器４４から取り外すことができる。養生キャップ設置具１０Ｂによって火災感知器４４に設置された養生キャップ１７は、室の修繕工事が終了した後に、養生シート３８の周縁部４１から床に向かって垂下する紐４０を下方へ引っ張ることで、火災感知器４４から外れるから、火災感知器４４から容易に取り外すことができる。
【符号の説明】
【００８６】
１０Ａ  養生キャップ設置具
１０Ｂ  養生キャップ設置具
１１    ロッド
１１ａ  第１ロッド
１１ｂ  第２ロッド
１２    固定部材
１３    旋回軸
１３ａ  第１旋回軸
１３ｂ  第２旋回軸
１４    支持筒（支持部材）
１５    支持シート
１６    伸縮弾性手段
１７    養生キャップ
１８    取っ手
１９    固定ボルト
２０ａ  第１アーム
２０ｂ  第２アーム
２１    先端部分
２２    頂部
２２ａ  頂縁
２３    中央部
２４    底部
２５    上方開口
２６    下方開口
２７    軸孔
２７ａ  第１軸孔
２７ｂ  第２軸孔
２８    ボルト（錘）
２９    内部空間（内部）
３０    中央部
３１    外周面
３２    周縁部
３３    ゴム（伸縮弾性部材）
３４    上部
３５    中間部
３６    下部
３７    支持シート
３８    養生シート
３９    ゴム（伸縮弾性部材）
４０    紐
４１    周縁部
４２    中央部
４３    天井
４４    火災感知器
４５    天井面
４６    外周面
４７    旋回フレーム（旋回部材）
【図１】
0006551911.tif 000002
【図２】
0006551911.tif 000003
【図３】
0006551911.tif 000004
【図４】
0006551911.tif 000005
【図５】
0006551911.tif 000006
【図６】
0006551911.tif 000007
【図７】
0006551911.tif 000008
【図８】
0006551911.tif 000009
【図９】
0006551911.tif 000010
【図１０】
0006551911.tif 000011
【図１１】
0006551911.tif 000012
【図１２】
0006551911.tif 000013
【図１３】
0006551911.tif 000014
【図１４】
0006551911.tif 000015
【図１５】
0006551911.tif 000016
【図１６】
0006551911.tif 000017
【図１７】
0006551911.tif 000018